(57)【特許請求の範囲】
【請求項１】
写真撮影の補助光源として使用可能なフラッシュ装置であって、
照射方向を変更できる可動ヘッドを有し、フラッシュの照射エリアを変更可能な発光部と、
上記可動ヘッドに一体的に構成され、上記照射エリアの被写体を含む画像を撮像可能な撮像手段と、
上記フラッシュ装置の設定値または照射エリアを表示可能な表示手段と、
上記照射エリアを上記表示手段に表示させる表示制御手段と、
撮影前に、上記撮像手段によって撮像した撮像画像に基づき照射エリアの画像を示す照射エリア情報と、少なくともフラッシュ装置に与えられた識別符号を含むフラッシュ設定情報をカメラに送信する送信手段と、
を備えたことを特徴とするフラッシュ装置。
【請求項２】
上記照射エリアの表示は、上記発光部のズーム状態に対応して、上記撮像手段による撮像画像をデジタル拡大して当該照射エリアを表示することを特徴とする請求項１に記載のフラッシュ装置。
【請求項３】
上記撮像手段は、フラッシュ側での発光量制御のための調光機能を兼用することを特徴とする請求項１に記載のフラッシュ装置。
【請求項４】
さらに、上記フラッシュ装置が写真撮影を行うカメラに、撮影画像範囲と照射エリアを略同一とするように固定接続されているか、または分離されているかを検出する検出手段と、
上記検出手段の出力に基づいて、上記表示手段に表示する内容を切り換える切換手段と、
を備えたことを特徴とする請求項１に記載のフラッシュ装置。
【請求項５】
上記フラッシュ装置は、上記カメラに固定接続されている場合はフラッシュの照射エリアを示す画像を表示せずにフラッシュの設定情報のみを表示し、上記カメラと分離されている場合は上記フラッシュの照射エリアを示す画像を表示することを特徴とする請求項４に記載のフラッシュ装置。
【請求項６】
上記検出手段は、上記フラッシュ装置と上記カメラを接続する接続端子の接続状態に応じて、上記固定接続と上記分離のいずれであるかを検出することを特徴とする請求項４に記載のフラッシュ装置。
【請求項７】
上記カメラからの制御信号を受信するための受信手段を有することを特徴とする請求項１に記載のフラッシュ装置。
【請求項８】
上記撮像手段は、上記照射エリアよりも十分に広い範囲を撮像可能であり、
上記発光部の予備発光で取得された画像をもとに上記発光部によって照射された範囲を判定し、照射範囲の画像を出力する照射範囲画像出力手段と、
を備えたことを特徴とする請求項１に記載のフラッシュ装置。
【請求項９】
上記フラッシュ装置は、天井範囲と水平範囲とを判別可能であり、上記水平範囲でフラッシュ発光により明るさが所定値よりもアップした範囲を照射範囲として出力することを特徴とする請求項８に記載のフラッシュ装置
【発明の詳細な説明】
【技術分野】
【０００１】
本発明は、フラッシュ装置に関し、詳しくは、撮像装置等のカメラの補助照明装置として用いられ、カメラに固定装着しても、カメラから分離した位置においても使用可能なフラッシュ装置に関する。
【背景技術】
【０００２】
フラッシュ装置の補助光を用いて撮影する場合には、そのフラッシュ装置の照射エリアを考慮しながら撮影を行う必要がある。特に、フラッシュ装置をカメラから分離した位置に配置する場合には、フラッシュ光の位置や発光部の向きによって被写体の照明状態が変化するので、フラッシュ装置のセッティングは撮影にあたって重要である。そこで、撮影前にフラッシュ装置による照明状態を確認可能なストロボシステムが種々提案されている。
【０００３】
例えば、特許文献１には、マスターストロボからの発光に応答してスレーブストロボもプリ発光し、このときの反射光量と設定されている光量比から、マスターストロボとスレーブストロボの発光量を制御するストロボシステムが開示されている。すなわち、この特許文献１には、モデリングによってカメラからはなれて配置されたフラッシュ装置のライティングを確認することができる。
【特許文献１】特開２０００−８９３０５号公報
【発明の開示】
【発明が解決しようとする課題】
【０００４】
モデリングは発光のための電力消費が大きく、電池が消耗してしまう。モデリング発光は一時的に照明光を照射するだけなので、フラッシュ装置のセッティングを行いながら、リアルタイムで照射エリアを確認することはできない。また、モデリング発光時にはフラッシュ光が照射エリア外にも拡散するので、モデリングによって照射エリアを人の目で確認しようとしても、照度が不十分なエリアまで、照射されていると認識してしまう虞がある。フラッシュ装置がカメラに装着されている場合は、カメラの撮影範囲とフラッシュ装置のズームを連動させて、カメラのファインダで確認する方法があるが、フラッシュ装置がカメラから離れて配置されている場合には、この方法が採用できない。
【０００５】
本発明は、このような事情を鑑みてなされたものであり、リアルタイムで正確に、カメラから離れて配置したフラッシュ装置の照射エリアを確認できるようにしたフラッシュ装置を提供することを目的とする。
【課題を解決するための手段】
【０００６】
上記目的を達成するため第１の発明に係わるフラッシュ装置は、写真撮影の補助光源として使用可能なフラッシュ装置であって、照射方向を変更できる可動ヘッドを有し、フラッシュの照射エリアを変更可能な発光部と、上記可動ヘッドに一体的に構成され、上記照射エリアの被写体を含む画像を撮像可能な撮像手段と、上記フラッシュ装置の設定値または照射エリアを表示可能な表示手段と、上記照射エリアを上記表示手段に表示させる表示制御手段と、撮影前に、上記撮像手段によって撮像した撮像画像に基づき照射エリアの画像を示す照射エリア情報と、少なくともフラッシュ装置に与えられた識別符号を含むフラッシュ設定情報をカメラに送信する送信手段と、を備える。
【０００７】
第２の発明に係わるフラッシュ装置は、上記第１の発明において、上記照射エリアの表示は、上記発光部のズーム状態に対応して、上記撮像手段による撮像画像をデジタル拡大して当該照射エリアを表示する。
また、第３の発明に係わるフラッシュ装置は、上記第１の発明において、上記撮像手段は、フラッシュ側での発光量制御のための調光機能を兼用する。
【０００８】
第４の発明に係わるフラッシュ装置は、上記第１の発明において、さらに、上記フラッシュ装置が写真撮影を行うカメラに、撮影画像範囲と照射エリアを略同一とするように固定接続されているか、または分離されているかを検出する検出手段と、上記検出手段の出力に基づいて、上記表示手段に表示する内容を切り換える切換手段と、を備える。
【０００９】
第５の発明に係わるフラッシュ装置は、上記第４の発明において、上記フラッシュ装置は、上記カメラに固定接続されている場合はフラッシュの照射エリアを示す画像を表示せずにフラッシュの設定情報のみを表示し、上記カメラと分離されている場合は上記フラッシュの照射エリアを示す画像を表示する。
また、第６の発明に係わるフラッシュ装置は、上記第４の発明において、上記検出手段は、上記フラッシュ装置と上記カメラを接続する接続端子の接続状態に応じて、上記固定接続と上記分離のいずれであるかを検出する。
【００１１】
第７の発明に係わるフラッシュ装置は、上記第１の発明において、上記カメラからの制御信号を受信するための受信手段を有する。
【００１５】
第８の発明に係わるフラッシュ装置は、上記第１の発明において、上記撮像手段は、上記照射エリアよりも十分に広い範囲を撮像可能であり、上記発光部の予備発光で取得された画像をもとに上記発光部によって照射された範囲を判定し、照射範囲の画像を出力する照射範囲画像出力手段と、を備える。
【００１６】
第９の発明に係わるフラッシュ装置は、上記第８の発明において、上記フラッシュ装置は、天井範囲と水平範囲とを判別可能であり、上記水平範囲でフラッシュ発光により明るさが所定値よりもアップした範囲を照射範囲として出力する。
【発明の効果】
【００１７】
第１の発明によれば、フラッシュの照射方向や照射角などの照射エリアを変更する際、フラッシュ発光させることなく、フラッシュエリアを画像によりリアルタイムかつ正確に確認することができ、また、エネルギロスも少なくすることができる。また、ヘッドの方向をフラッシュ本体に対して動かしても、照射エリアの表示はヘッドの動きに追従可能である。フラッシュ装置の照射エリアをカメラ側に送信できるので、カメラ側で照射エリアを確認することが可能となり、この場合には、フラッシュ装置まで移動しなくてもよく、フラッシュの設定の確認を迅速に行える。
【００１８】
第２の発明によれば、照射エリアの画像を取得する撮像手段に光学ズームが不要となり、小型軽量にすることが可能となる。
第３の発明によれば、照射エリア外の部分も表示されるため、被写界全体とのバランスを見ながら照射エリアを確定することができる。
【００１９】
第４の発明によれば、カメラにフラッシュ装置を取り付けているか、分離しているかによって最適な表示を自動的に行うことができる。
第５の発明によれば、フラッシュ装置がカメラから分離されている場合のみフラッシュ装置の照射エリアを表示するようにしているので、カメラに取り付けられ、カメラのファインダで画角を確認できる場合にフラッシュ装置の撮像手段が動作して無駄な電力を消耗することを防止することができる。また、画角以外のフラッシュの設定情報を見やすく表示することが可能となる。さらに、カメラと分離してズームがカメラの画角に連動しない場合には、照射エリアを自動的に表示するようにしても良く、この場合には、照射エリア自動的に表示されるので、ズームの設定を忘れて失敗することを防止することができる。
第６の発明によれば、フラッシュ装置とカメラとの接続端子によって、カメラから分離されているか否かを判定することができ、簡単な構成とすることができる。
【００２０】
第７の発明によれば、カメラから制御信号を受信することができるので、制御信号に応じて動作することができる。
【００２３】
第８の発明によれば、照射エリアを特定しにくいバウンス撮影の照射エリアをフラッシュ装置またはカメラ等に表示可能としているので、迅速にバウンス撮影の設定を行うことができる。
第９の発明によれば、バウンス撮影の際に、天井等における反射部分と撮影対象を分離し、照射エリアを出力することを可能としている。
【発明を実施するための最良の形態】
【００２４】
以下、図面に従って本発明を適用したカメラ１とフラッシュ装置１００とからなるカメラフラッシュシステムを用いて好ましい第１実施形態について説明する。図１は、本発明の第１実施形態に係るフラッシュ装置１００について正面側からみた外観斜視図であり、図２はこのフラッシュ装置１００を背面側からみた外観斜視図である。
【００２５】
フラッシュ制御部本体２１の内部には、フラッシュ装置１００の全体を制御するための制御回路等が設けられている。フラッシュ制御部本体２１の正面側には、ＡＦ補助光窓２２Ａとスレーブセンサ窓２３Ａが設けられている。ＡＦ補助光窓２２Ａは、被写体が暗い場合に、被写体を照明することによりカメラのオートフォーカスを補助する補助光投射用の投光用のレンズを含む窓である。
【００２６】
スレーブセンサ窓２３Ａは、コマンダーフラッシュから信号発光を受光するための受光用レンズを含む窓である。すなわち、フラッシュ装置１００がワヤレスフラッシュとして動作する場合、コマンダー機能を備えたカメラの内蔵フラッシュ等のコマンダーフラッシュから信号発光を、スレーブセンサ窓２３Ａを通して受信し、このフラッシュ装置１００はコマンダーフラッシュからの信号発光に従ってスレーブ発光を行う。
【００２７】
フラッシュ制御部本体２１の下部には脚３３が固設されおり、この脚３３の端部側にはホットシュー３１が設けられている。ホットシュー３１の下部には、カメラ１との有線通信を行うための信号端子３１ａ（図３参照）が配設されている。シューロックナット３２は、ホットシュー３１をカメラ１のホットシュー６３（図４参照）に装着時に、カメラ１に固定するための固定部材であり、脚３３に螺合している。
【００２８】
フラッシュ制御部本体２１の上部には軸部３４が設けてあり、この軸部３４に発光部ユニット１２が軸支されている。発光部ユニット１２は、軸部３４の回り（矢印Ａ回り）を回動自在であり、また、バウンス解除ボタン１３を通る軸回り（矢印Ｂ回り）を回動自在となっている。バウンス解除ボタン１３を押して固定を解除すると、発光部ユニット１２は、上下左右に回動させることができる。
【００２９】
発光部ユニット１２の前面側には、フラッシュ発光部１１が配置されており、このフラッシュ発光部１１はフレネルレンズ１１ａ（図３参照）を含み、また後述するように、内部にはキセノン管１０１（図３参照）が配置されており、フラッシュ発光部１１のフレネルレンズ１１ａを通してフラッシュ光が照射される。
【００３０】
発光部ユニット１２の底部には撮像部ユニット１５が固設されており、この撮像部ユニット１５の前面側には撮像レンズ１４が配置されている。撮像部ユニット１５は発光部ユニット１２と一体に構成されていることから、発光部ユニット１２によるフラッシュ光の照射の方向と、撮像部ユニット１５の撮像の方向は常に一致している。したがって、撮像部ユニット１５によって発光部ユニット１２による照射方向の画像を取得することができる。
【００３１】
フラッシュ制御部本体２１の背面には、図２に示すように、ズームボタン２０、背面表示ＬＣＤ（液晶ディスプレイ：Liquid Crystal Display）２４、モードボタン２５、充電／テストボタン２６、パワーボタン２７、十字ボタン２８、およびメニューボタン３０が配置されている。背面表示ＬＣＤ２４は、撮像ユニット１５によって取得した画像やその他の撮影情報を表示し、ＳＴＮ（Super-Twisted Nematic Display）液晶やＴＦＴ（Thin Film Transistor）などで構成される高精細な表示用モニタである。
【００３２】
モードボタン２５は、フラッシュ装置１００の発光制御の各種モード、例えば、ＴＴＬオートモード、オートモード、マニュアルモード、ＲＣモード（ワイヤレスリモートコントロールモード）等を設定するボタンである。充電／テストボタン２６は、フラッシュ装置１００の充電が完了すると点灯し、また、このボタン２６を押すとフラッシュ装置１００のテスト発光を行う。パワーボタン２７は、フラッシュ装置１００のパワーを投入するためのボタンである。
【００３３】
十字ボタン２８は、上下左右の４方向について、それぞれ設けられた方向キーと、この方向キーの中央に設けられたＯＫボタンとから構成されている。４つの方向キーをそれぞれ操作することにより、背面表示ＬＣＤ２４上に表示されるカーソルを移動させることができ、ＯＫボタンを操作することにより、選択された項目を確定する。
【００３４】
メニューボタン３０は、メニューモード設定用の操作部材であり、メニューボタン３０を操作すると、背面表示ＬＣＤ２４にメニュー画面が表示され、この状態で十字ボタン２８を操作することにより、所望の設定等を行うことができる。ズームボタン２０は、発光部ユニット１２によるフラッシュ光のズーミングを行わせるための操作部材である。このズーミングについては、後述するがフラッシュ発光部１１のフレネルレンズ１１ａとキセノン管１０１の距離を変化させることにより行う。ズームボタン２０を押すたびに、１ステップずつズームアップを行い、テレ端に達するとワイド端に戻る。
【００３５】
フラッシュ制御部本体２１の側面には、無線電波通信用のアンテナ２９が配置されている。後述するように、本実施形態においては、フラッシュ装置１００からカメラ１への画像データ等の送信は無線通信によって行っており、このアンテナ２９を介してカメラ１に送信する。
【００３６】
次に、本実施形態に係わるフラッシュ装置１００の電気系について図３に示すブロック図を用いて説明する。発光部ユニット１２内において、フラッシュ発光部１１を構成するフレネルレンズ１１ａの後方には、リフレクタユニット１０２に保持されたキセノン管１０１が配置されている。このキセノン管１０１には、充電・発光回路１０３が接続されており、バッテリ２０６の電源電圧を昇圧した高圧電圧が印加可能となっている。充電・発光回路１０３はフラッシュ制御部本体２１内に配置された演算制御回路２０２に接続されており、充電・発光回路１０３は、演算制御回路２０２の指示により、動作する。
【００３７】
リフレクタユニット１０２に設けられたギアは、モータ１０４の駆動軸に設けられたギアと噛合している。モータ１０４はステッピングモータ等で構成され、モータドライバ１０５に接続されており、このモータドライバ１０５は演算制御回路２０２に接続されている。このため、演算制御回路２０２からの指示によって、モータ１０４が正転または逆転方向に回転すると、リフレクタユニット１０２に保持されたキセノン管１０１は、フレネルレンズ１１ａに近づき、または遠ざかり、これによって照射角が変化し、ズーミング動作が行われる。
【００３８】
撮像素子ユニット１５の先端部には撮像レンズ１４が配置されており、フラッシュ装置１００の照射角に対応する画像を取得する。撮像レンズ１４の結像位置付近には、撮像素子１０７が配置されており、撮像素子１０７としては、ＣＣＤ（Charge Coupled Devices）またはＣＭＯＳ（Complementary
Metal Oxide Semiconductor）等の二次元撮像素子が使用される。
【００３９】
撮像素子１０７の出力は画像処理回路１０８に接続されており、この画像処理回路１０８の出力は演算制御回路２０２に接続されている。撮像素子１０７から読み出された画像信号は、画像処理回路１０８によって処理され、演算制御回路２０２に送られる。
【００４０】
無線電波通信用のアンテナ２９は、電波送受信回路２０１に接続されており、この電波送受信回路２０１は演算制御回路２０２に接続されている。カメラに送信する種々のデータは、演算制御回路２０２の制御に従って電波送受信回路２０１からアンテナ２９を介して無線で送信される。
【００４１】
フラッシュ制御部本体２１の前面側にはＡＦ補助光窓２２Ａを通してＡＦ補助光を投射するためのＡＦ補助光部２２が配置されており、ＡＦ補助光部２２はＡＦ補助光駆動制御回路２０４に接続され、ＡＦ補助光駆動制御回路２０４は演算制御回路２０２に接続されている。ＡＦ補助光駆動制御回路２０４は演算制御回路２０２から制御信号を受け、ＡＦ補助光の投光制御を行う。
【００４２】
また、フラッシュ制御部本体２１の前面側には、前述のスレーブセンサ窓２３Ａを通してコマンダーフラッシュからの信号発光を受光するスレーブセンサ２３が配置されており、このスレーブセンサ２３はスレーブ信号処理回路２０５が接続され、スレーブ信号処理回路２０５は演算制御回路２０２に接続されている。スレーブセンサ２３は、カメラ本体１の内蔵フラッシュ６４またはカメラ本体１に装着したフラッシュ装置１００等のコマンダーフラッシュから信号発光を受光し、スレーブ信号処理回路２０５は信号発光に基づく信号を処理し、演算制御回路２０２は充電・発光制御回路１０３の制御を行い、フラッシュ発光を行う。
【００４３】
背面表示ＬＣＤ２４は、ＬＣＤドライバ２０３に接続されており、ＬＣＤドライバ２０３は演算制御回路２０２に接続されている。演算制御回路２０２は、撮像素子１０７によって取得された画像や、フラッシュ装置１００自身の情報や、カメラ１と通信によって取得した情報等を背面表示ＬＣＤ２４に表示させる。
【００４４】
前述のズームボタン２０、モードボタン２５、充電／テストボタン２６、パワーボタン２７、十字ボタン２８、メニューボタン３０等の各種スイッチは、演算制御回路２０２に接続されており、これらのスイッチ状態の検出が可能となっている。着脱自在の電源電池で構成されたバッテリ２０６は、フラッシュ装置１００の動作電源であり、演算制御回路２０２、モータ１０４、充電・発光回路１０３等の各部にエネルギ供給を行う。
【００４５】
通信接点３１ａは、前述したようにホットシュー３１の端部に設けられており、本実施形態においては端子ａ〜ｅの５端子で構成されている。この内、端子ａ〜ｄはカメラ１との通信に用いられ、端子ｅはカメラ１のホットシュー６３に接続されているか否かを判定する。カメラのホットシュー６３は、図３（Ｂ）に示すように、端子ａ〜ｅが設けられており、端子ｅからは所定の識別信号が出力される。このため、この端子ｅ−端子ｅを介して得られる識別信号を解析することにより、フラッシュ装置１００がカメラ１に装着されているか否かを判定することができる。
【００４６】
フラッシュ装置１００がカメラ１から分離されワイヤレスで使用する場合には、フラッシュ装置１００の端子ｅは、識別信号を受信することはないので、フラッシュ装置１００がカメラ１に装着されていないことを判定することができる。また、フラッシュ装置１００とカメラ１を図３（Ｃ）に示すようなオフフラッシュケーブル８０で接続した場合には、ケーブル端子８１とケーブル端子８２の間には、端子ｅ−端子ｅを接続するラインが設けられておらず電気的にオープン状態となり、フラッシュ装置１００がカメラ１に直接装着されていないことを判定することができる。なお、この図３（Ｃ）に示す状態は、フラッシュ装置１００とカメラ１の間で有線通信を維持しつつ、フラッシュ装置１００をカメラ１から離して使用する場合である。
【００４７】
次に、本実施形態に係わるカメラ１について説明する。図４（Ａ）は本実施形態に係わるカメラ１の正面側から見た外観斜視図であり、図４（Ｂ）は内蔵フラッシュ６４をポップアップした状態を示す。また、図５は、カメラ１を背面側から見た外観斜視図である。このカメラ１は、撮影素子を備えた一眼レフタイプの電子カメラであり、撮像素子からの出力に基づく画像データを記録媒体に記録可能であると共に、被写体観察時には、画像データに基づいてリアルタイムで背面に設けた背面ＬＣＤ６７に表示する所謂ライブビューが可能である。
【００４８】
カメラ本体６０の正面側の略中央には撮影レンズユニット５０が装着されている。撮影レンズユニット５０はカメラ本体６０に対して一体に固定されていても良いが、本実施形態においては、着脱自在な交換レンズで構成されている。撮影レンズユニット５０内には、被写体像を形成するための撮影レンズ５１が配置されている。この撮影レンズ５１は固定焦点レンズで構成しても良いが、本実施形態においては、変倍機能を有するズームレンズである。ズームリング５２を回動させることにより、ズーミング動作を行うことができ、また、変倍状態（焦点距離情報）は、図示しない接点を介してカメラ本体６０に送信される。
【００４９】
カメラ本体６０の上部には、レリーズボタン６１、パワーボタン６２、ホットシュー６３、内蔵フラッシュ６４が設けられている。レリーズボタン６１は静止画等の撮影を指示するための操作部材であり、パワーボタン６２はカメラ本体６０にカメラ動作を開始させるための操作部材である。
【００５０】
ホットシュー６３はフラッシュ装置１００のホットシュー３１に係合可能であり、通信用の端子ａ〜ｅが設けられている（図３（Ｂ）参照）。これらの端子ａ〜ｅを介してカメラ１とフラッシュ装置１００は有線通信を行う。
【００５１】
内蔵フラッシュ６４は発光部６４ａを有し、ポップアップすると発光部６４ａが被写体方向に向けて照射可能であり、ポップダウンすると発光部６４ａがカメラ本体６０内に収納される。この内蔵フラッシュ６４はカメラ単体で撮影時の照明光源のほか、ワイヤレスフラッシュでの撮影時には、コマンダーフラッシュとしての信号発光を行うことが可能である。
【００５２】
カメラ本体６０の正面右上隅には、無線電波通信用のアンテナ６５が設けられている。このアンテナ６５によって、フラッシュ装置１００の無線電波通信用のアンテナ２９との間で無線通信を行う。
【００５３】
カメラ本体６０の背面の上部には、ファインダ窓６６が設けられている。撮影レンズ５１によって形成される被写体像は、カメラ本体６０内の可動反射鏡、ファインダスクリーン、ペンタプリズム等のファインダ光学系を介し、ファインダ窓６６から観察することが可能である。
【００５４】
また、カメラ本体６０の背面には背面ＬＣＤ６７、ＤＳＰボタン６８、ＩＮＦＯボタン６９、モードボタン７０、メニューボタン７１、および十字ボタン７２が配置されている。背面ＬＣＤ６７は、カメラによって撮影され記録されている画像の再生、各種情報の設定画面、およびライブビュー画像の表示を行う。
【００５５】
ＤＳＰボタン６８は背面ＬＣＤ６７で表示されるライブビューのオンオフの切換を行う操作部材である。ＩＮＦＯボタン６９は、背面ＬＣＤ６７に表示する情報の表示形態の切り換えを行う操作部材である。モードボタン７０は、プログラムモード、絞り優先モード、シャッタ優先モード、マニュアルモード等のカメラ１の撮影モードを切り換えるための操作部材である。
【００５６】
十字ボタン７２は、図２に示した十字ボタン２８と同様に、上下左右の４方向について、それぞれ設けられた方向キーと、この方向キーの中央に設けられたＯＫボタンとから構成されている。４つの方向キーをそれぞれ操作することにより、背面ＬＣＤ６７上に表示されるカーソルを移動させることができ、ＯＫボタンを操作することにより、選択された項目が確定する。
【００５７】
メニューボタン７１は、図２に示したメニューボタン３０と同様に、メニューモード設定用の操作部材であり、メニューボタン７１を操作すると、背面ＬＣＤ６７にメニュー画面が表示され、この状態で十字ボタン７２を操作することにより、所望の設定等を行うことができる。
【００５８】
次に、本実施形態に係わるカメラの電気系について図６に示すブロック図を用いて説明する。レンズ駆動制御回路３０１は、撮影レンズユニット５０内に設けられており、撮影レンズ５１のフォーカス駆動や絞りの制御を行う。ボディ駆動制御回路３０２は、カメラ本体６０内に設けられており、カメラ全体のシーケンス制御等の各種の制御を行う。
【００５９】
アンテナ６５は通信回路３０４に接続されており、この通信回路３０４はボディ駆動制御回路３０２に接続されている。通信回路３０４は無線電波による通信回路であり、ボディ駆動制御回路３０２によって制御される。内蔵フラッシュ６４はフラッシュ制御回路３０５によって充電や発光制御がなされ、フラッシュ制御回路３０５はボディ駆動制御回路３０２に接続され、これによって制御される。
【００６０】
フラッシュ制御回路３０５は、内蔵フラッシュ６４のみ、またはフラッシュ装置１００が単独で装着されている場合には、通常撮影時の照射の制御を行う。また、フラッシュ装置１００Ａ、１００Ｂがカメラ本体６０から分離され、ＲＣモード（ワイヤレスリモートコントロールモード）で使用される場合には、フラッシュ制御回路３０５は、フラッシュ装置１００Ａ、１００Ｂに対してコマンダーフラッシュとしての信号発光を行わせる。
【００６１】
ＴＴＬ調光回路３０７は、内蔵フラッシュ６４またはフラッシュ装置１００の発光量を制御するために、フラッシュを発光しない場合の被写界の明るさ、およびフラッシュを発光させた場合の被写界の明るさを測光可能である。ＴＴＬ調光回路３０７の出力は、ボディ駆動制御回路３０２に送られ、ここでフラッシュの発光量等の発光データを生成する。
【００６２】
撮像回路３１０は、撮影レンズ５１の結像面近傍に配置された撮像素子を含み、被写体像の画像データを出力する。画像処理回路３０８は、撮像回路３１０からの画像データを入力し、画像データの圧縮、ノイズ除去等の画像処理を行う。画像記録媒体３０９は、画像処理回路３０８によって処理された画像データを記録するための媒体であり、画像処理回路３０８によって書き込みが行われる。
【００６３】
前述の背面ＬＣＤ６７は、ボディ駆動制御回路３０２に接続されており、画像記録媒体３０９に記録されている画像を画像処理回路３０８によって読み出し、これを再生表示することができる。また、画像処理回路３０８によって処理されたライブビューを表示することができる。さらに、メニューモードに設定されている場合には、メニュー設定画面を表示し、また各種撮影情報の表示を行う。
【００６４】
操作部材３０６は、前述のレリーズボタン６１、パワーボタン６２、ＤＳＰボタン６９、ＩＮＦＯボタン６９、メニューボタン７１、および十字ボタン７２等の操作部材であり、これらの操作部材３０６の操作状態は、ボディ駆動制御回路３０２によって読み取り可能となっている。
【００６５】
次に、図７を用いて、フラッシュ装置１００の背面表示ＬＣＤ２４における照射範囲の画像表示を説明する。前述したように、フラッシュ装置１００には撮像素子１０７が設けてある。この撮像素子１０７によって取得した画像を用いて、フラッシュ装置１００による照射範囲を表示することが可能である。
【００６６】
本実施形態においては、次の３つの表示方法が可能であり、いずれか一つのみ表示するようにしても良く、また、メニューモードにて選択できるようにしても良い。図７（ａ）（ｂ）に示す表示スタイル１は、フラッシュ装置１００の照射角をデジタルズームで表示する方法である。
【００６７】
フラッシュ装置１００内の演算制御回路２０２は、フラッシュ装置１００のズーム位置から、照射角に相当する画像のエリアを算出し、これに基づいて撮像ユニット１５で取得した画像にデジタルズーム処理を行い、背面表示ＬＣＤ２４に表示する。なお、ズーム位置はモータ１０４によるリフレクタユニット１０２の移動量に基づいて算出する。
【００６８】
図７（ａ）はフラッシュ装置１００がワイド端に設定された場合であり、また図７（ｂ）はテレ端に設定された場合を示す。また、図中、「ＲＣ」は、ＲＣモード（ワイヤレスリモートコントロールモード）に設定されていることを示し、また、「Ｃｈ１」は無線通信のチャンネルを示し、同一のシステムを構成する場合には同一のチャンネルを選択する。また、「ＧｒＡ」は各フラッシュ装置に与えられた識別符号であり、「＋０．３」は、露光補正値を示す。これらのフラッシュの設定値は、画面内の照射エリアの画像にスーパーインポーズ表示される。
【００６９】
図７（ｃ）（ｄ）に示す表示スタイル２は、デジタルズームを行わず、照射エリア内を明るく表示し、照射エリア外を暗く表示する方法である。フラッシュ装置１００内の演算制御回路２０２はフラッシュのズーム位置から照射角に相当する画像のエリアを算出し、それに基づいて撮像ユニット１５で取得した画像の照射エリア外を暗く表示させる。この表示スタイル２においても、フラッシュ装置１００の設定値をスーパーインポーズ表示している。
【００７０】
図７（ｃ）はフラッシュ装置１００の発光部がワイド端に設定された場合であり、また図７（ｄ）は発光部がテレ端に設定された場合を示す。この表示スタイル２は、照射エリア外でかつズーム設定で照射可能な範囲の画像を観察することができる。このため、テレ端からワイド端にズーミングする際に分かりやすい。この表示スタイル２の変形例として、撮像画像をデジタルズームすることなく、照射エリアを枠で囲んで表示するようにしても良い。
【００７１】
図７（ｅ）（ｆ）に示す表示スタイル３は、前述の表示スタイル１と表示スタイル２を組み合わせた表示である。この表示スタイル３では、表示スタイル１のようにデジタルズーム処理された画像を表示する表示領域２４ａと、表示スタイル２のように照射エリアを明るく表示する表示領域２４ｂに分けて、両表示スタイルによって照射エリアを表示するようにしている。フラッシュの設定値は、撮像画像にスーパーインポーズすることなく、表示領域２４ａ、２４ｂ以外の領域に表示している。
【００７２】
なお、ワイド端においては、表示領域２４ａと表示領域ｂの画像が一致するので、図７（ｅ）においては一つの画像のみ表示している。しかし、ワイド端においても、図７（ｆ）のように表示領域２４ａ、２４ｂでそれぞれ同一の画像を表示するようにしても勿論かまわない。
【００７３】
この表示スタイル３の表示制御も演算制御回路２０２によって、前述の表示スタイル１および表示スタイル２での処理結果を合成して行う。表示スタイル３での表示は、表示スタイル１および表示スタイル２の表示方法を同時にモニタすることができ、設定をより迅速に行うことができる。
【００７４】
次に、カメラ１と２台のフラッシュ装置１００Ａ、１００Ｂを組み合わせたシステムにおいて、ワイヤレスＴＴＬ撮影を行う場合について、図８を用いて説明する。本実施形態のシステムにおいては、フラッシュ装置１００Ａ、１００Ｂの状態と照射エリアの画像データは電波信号でカメラ１に送信し、カメラ１は受信し、照射エリアの画像を表示する。一方、フラッシュ装置１００Ａ、１００Ｂの発光制御については、カメラ１の内蔵フラッシュ６４等のコマンダーフラッシュからの信号発光によって制御を行っている。すなわち、フラッシュ装置１００Ａ、１００Ｂからカメラ１への情報伝達は電波通信で行い、フラッシュ装置１００Ａ、１００Ｂからカメラ１への情報伝達は光通信で行っている。
【００７５】
被写体３２０に向かって左側のフラッシュ装置１００ＡはグループＡに設定され、右側のフラッシュ装置１００ＢはグループＢに設定されている。このグループ設定は、各フラッシュ装置１００Ａ、１００Ｂのメニュー画面上において行う。フラッシュ装置１００Ａにおいてグループ設定を行うと、背面表示ＬＣＤ２４の画面２４Ａに表示され、フラッシュ装置１００Ｂにおいてグループ設定を行うと背面表示ＬＣＤ２４の画面２４Ｂに表示される。
【００７６】
また、各フラッシュ装置１００Ａ、１００Ｂでは、撮像ユニット１５によって取得された照射エリアが画面２４Ａ、２４Ｂにそれぞれ表示される。なお、図８では、表示スタイル１による表示方法を示している。
【００７７】
カメラ１の背面ＬＣＤ６７には、それぞれのフラッシュ装置１００Ａ、１００Ｂのフラッシュの設定が表示される。すなわち、画面６７Ａに示すように、ライブビュー表示６７ａおよびカメラ撮影情報６７ｂに加えて、フラッシュ情報６７ｃが表示される。また、ＩＮＦＯボタン６９を操作することにより画面６７Ｂのように表示形態が変わり、フラッシュ装置１００Ａ、１００Ｂの照射エリアが同時に表示される。
【００７８】
すなわち、画面６７Ｂの略中央には、ライブビュー表示６７ｄとカメラ撮影情報６７ｅが表示され、画面６７Ｂの左側にはフラッシュ装置１００Ａの照射エリア情報６７ｆがフラッシュ設定値と共に表示され、画面６７Ｂの右側にはフラッシュ装置１００Ｂの照射エリア情報６７ｇがフラッシュ設定値と共に表示される。ここで、照射エリア情報６７ｆ、６７ｇには、フラッシュ装置１００Ａ、１００Ｂから無線通信で送信されてきた照射エリアの画像が表示されるので、カメラ１の撮影者はフラッシュ装置１００Ａ、１００Ｂの設置位置まで行かなくても、カメラ１の設置位置で照射エリアを確認することができる。
【００７９】
フラッシュ装置１００Ａ、１００Ｂの照射エリアが撮影者の意図通りでない場合には、フラッシュ装置１００Ａ、１００Ｂの照射エリアの画像を見ながら発光部ユニット１２の向きを上下左右に回動させ、またズームボタン２０の操作によってズーミングすることにより、照射エリアが適切になるように調整できる。
【００８０】
また、カメラ１の背面ＬＣＤ６７の画面６７Ａ、６７Ｂには、フラッシュ装置１００Ａ、１００Ｂの設定が表示され、この設定はカメラ側のメニュー画面上におけるフラッシュ設定変更において、十字ボタン７２等の操作部材を操作することにより設定変更することができる。そして、この設定値はレリーズボタン６１の押下時に、所定のフォーマットによるコマンダーフラッシュによってフラッシュ装置１００Ａ、１００Ｂに伝達され、フラッシュ装置は、その指示に従って発光を行う。
【００８１】
次に、フラッシュ装置１００に照射エリアの画像表示を背面ＬＣＤ６７に行うか否かについて、図９を用いて説明する。図９に示すように、フラッシュ装置１００が、３つの条件、すなわち、（１）カメラ１に装着され、（２）フラッシュ装置１００がオートズームに設定され、（３）発光部ユニット１２の発光部１１が正面を向いている場合には、照射エリアの画像を表示せず、フラッシュの設定値のみを表示する。一方、これらの３つの条件の内、いずれかの条件を満たしていない場合には、フラッシュの設定値を表示すると共に照射エリアの画像表示を行うようにしている。
【００８２】
これは、上述の３つの条件を満たしている場合には、カメラ１の光学ファインダを通して観察している被写体３２０と、照射エリアが一致しているので、照射エリアの画像を表示する必要性は低く、撮像部ユニット１５の撮像素子１０７や画像処理回路１０８等の回路をオフにし電源の消耗を防止する。一方、上述の３つの条件のいずれかを満たしていない場合には、カメラ1の撮影画角とフラッシュ装置１００の照射エリアが異なる可能性があることから、照射エリアの画像を表示する。
【００８３】
また、上述の３つの条件を満たしていても、例えば、フラッシュ装置１００をマニュアルズームに切り換えた場合や、発光部ユニット１２を動かした場合には、照射エリアの表示を自動的に開始するようにしている。また、オフフラッシュケーブル８０によってフラッシュ装置１００とカメラ１を接続している場合にも、フラッシュ装置１００は端子ｅの信号によってカメラ１に未装着を検知し、照射エリアの画像の自動表示を行う。
【００８４】
次に、フラッシュモードの切り換えについて、図１０および図１１を用いて説明する。図１０は、フラッシュ装置１００と連動可能なカメラ１に、フラッシュ装置１００が装着された場合のフラッシュモードの切り換えを示す。このようなクリップオンで使用する場合には、カメラ１とフラッシュ装置１００との間で通信がなされ、互いに相手を認識することができる。
【００８５】
このクリップオン状態で、フラッシュ装置１００のモードボタン２５を操作するたびに、図１０に示すように、ＴＴＬオートモード（ａ−１）、オートモード（ａ−２）、マニュアルモード（ａ−３）、フラットＴＴＬオートモード（ａ−４）、フラットマニュアルモード（ａ−５）に順次変化する。ここで、ＴＴＬオートモード（ＴＴＬ−ＡＵＴＯ）は、カメラ１のＴＴＬ調光回路３０７で、フラッシュ装置１００のプリ発光時と非発光時に測光し、これに基づいてボディ駆動制御回路がフラッシュ装置１００の発光量を演算し設定する。このＴＴＬオートモードの動作については、図１２を用いて後述する。
【００８６】
オートモード（ＡＵＴＯ）は、カメラ１から送信されたＩＳＯ感度や絞りの情報に基づいて、フラッシュ装置１００のセンサによって本発光時の光量を測定し、適正露光となるタイミングで発光を停止するモードである。本実施形態においては、撮像素子１０７を本発光時の光量測定のセンサとして兼用している。このオートモードについては、図１３を用いて後述する。
【００８７】
マニュアルモード（ＭＡＮＵＡＬ）は、フラッシュ装置１００の発光量を直接設定するモードである。マニュアル発光量は、メニュー画面において設定する。フラットＴＴＬオートモード（ＦＰ  ＴＴＬ−ＡＵＴＯ）は、高速シャッタ時は、フラット発光に切り替わるＴＴＬオートモードである。なお、フラット発光はフォーカルプレーンシャッタの先幕が走行開始から終了までの時間の間、ほぼ一定輝度で発光を持続する発光形式である。
【００８８】
一般にフラッシュ装置の発光はきわめて短時間であることから、先幕が走行を開始し、全開状態となってから後幕が走行を開始するシャッタ秒時より高速シャッタ秒時では、フラッシュ装置を使用することができない。しかし、フラット発光にすることにより、高速シャッタ秒時でもフラッシュ装置を使用することができる。フラットマニュアルモード（ＦＰ−ＭＡＮＵＡＬ）は、発光量を直接設定するフラット発光モードであり、メニュー画面で発光量を設定することができる。
【００８９】
図１１は、フラッシュ装置１００と連動可能なカメラ１に、フラッシュ装置１００が未装着、すなわちカメラ1から分離した状態で使用する場合のフラッシュモードの切り換えを示す。フラッシュ装置１００がカメラ１から分離された状態では、カメラ１とフラッシュ装置１００の接点を介しての通信が成立しないために、撮影画角が伝達されない。また、カメラ１とフラッシュ装置１００の設置位置が異なるため、ＲＣモードが設定されると、フラッシュ装置１００の照射エリア設定のために、図８を用いて説明したように、フラッシュ装置１００の照射角に対応した画像をフラッシュ装置１００の背面表示ＬＣＤ２４に表示し、また、この画像に重畳してフラッシュの設定情報も表示する。
【００９０】
フラッシュ装置１００のモードボタン２５を操作するたびに、図１１に示すように、オートモード（ｂ−１）、マニュアルモード（ｂ−２）、ＲＣモード（ｂ−３）に順次変化する。ここで、オートモード（ＡＵＴＯ）は、前述のオートモードと同じである。ただし、ＩＳＯ感度および絞り値は、カメラ１からフラッシュ装置１００に自動的に伝達されないので、撮影者が設定する。また、マニュアルモード（ＭＡＮＵＡＬ）は、前述のマニュアルモードと同じである。
【００９１】
ＲＣモードは、ワイヤレスフラッシュ撮影する場合に設定され、このモードでは、カメラ１のコマンダーフラッシュによる信号発光によって伝達される情報に基づいて、ワイヤレス発光を行う。このＲＣモードの動作については、図１４および図１５を用いて後述する。
【００９２】
次に、ＴＴＬオートモードが設定されている場合のカメラ１の動作について、図１２に示すフローチャートを用いて説明する。ＴＴＬオートのフローが開始すると、まず、レリーズボタン６１がオンになったか否かを判定する（Ｓ１）。レリーズボタン６１がオンとなると通信端子３１ａを介してフラッシュ装置１００にプリ発光の指示を送信する（Ｓ３）。
【００９３】
プリ発光の指示を受けると、フラッシュ装置１００はプリ発光を行う。すなわち、演算制御回路２０２は充電・発光回路２０２に対してプリ発光指令を出力し、キセノン管１０１がプリ発光する。
【００９４】
次に、プリ測光を行う（Ｓ５）。このステップでは、カメラ１はプリ発光に同期して被写体からの反射光を、ＴＴＬ調光回路３０７が撮影レンズ５１を通して受光し（プリ測光）、このときの受光量をボディ駆動制御回路３０２に送る。続いて、発光量の決定を行い（Ｓ７）。すなわち、ボディ駆動制御回路３０２は、プリ測光時の受光量に基づいて、適正露光が得られるフラッシュ装置１００の発光量を演算し決定する。次に、この決定された発光量をフラッシュ装置１００に通信端子３１ａを介して送信する（Ｓ９）。
【００９５】
これで、フラッシュ装置１００の発光量を、プリ発光時に撮影レンズ５１を通して得た光量に基づいて決定することができたので、続いて、露光と本発光動作に移る。まず、カメラ本体６０内の可動反射ミラーを上昇させ（Ｓ１１）、シャッタの先幕を走行させシャッタを開放する（Ｓ１３）。シャッタの開放によって被写体像が撮像回路３１０内の撮像素子上に結像し、撮像素子の電荷蓄積を開始する。
【００９６】
また、シャッタが全開状態となると、フラッシュ装置１００に通信端子３１ａを介して、発光トリガ信号を送信する（Ｓ１５）。この発光トリガ信号に応じて、充電・発光回路１０３はキセノン管１０１に本発光させる。予め決められたシャッタ秒時が経過すると、シャッタの後幕を走行させ、シャッタを閉じる（Ｓ１７）。
【００９７】
これで、露光動作が終わり、続いて、撮像回路３１０の撮像素子から画像信号の読出しを行い（Ｓ１９）、画像処理回路３０８は、読み出された画像信号に対して画像処理を行う（Ｓ２１）。この後、画像処理回路３０８は、画像処理を行って得られた画像データを画像記録媒体３０９に記録を行って（Ｓ２３）、ＴＴＬオートによる撮影動作を終了する。
【００９８】
次に、オートモードが設定されている場合のカメラ１の動作について、図１３に示すフローチャートを用いて説明する。オートモードのフローが開始すると、まず、ステップＳ１と同様にレリーズボタン６１がオンになったか否かを判定する（Ｓ３１）。レリーズボタン６１がオンとなると、通信端子３１ａを介してフラッシュ装置１００に、設定ＩＳＯ感度と設定絞り値（ＦＮｏ）を送信する（Ｓ３３）。続いて、フラッシュ装置１００に、プリ発光とプリ測光の指示を行う（Ｓ３５）。
【００９９】
フラッシュ装置１００は、プリ発光とプリ測光の指示を受けると、ステップ５と同様にプリ発光を行う。さらに、このとき、被写体からの反射光を撮像ユニット１５の撮像素子１０７で受光し、このときの受光量に基づいて、本発光時に適正露光となる発光量を演算し、決定する。
【０１００】
カメラ１は、フラッシュ装置１００のプリ発光の所定時間後に、ステップＳ１１、Ｓ１３、Ｓ１５と同様に可動反射ミラーを上昇させ（Ｓ３７）、シャッタを開放し（Ｓ３９）、発光トリガをフラッシュ装置１００に送信し（Ｓ４１）、フラッシュ装置１００は本発光を行う。この後、ステップＳ１７、Ｓ１９、Ｓ２１、Ｓ２３と同様に、シャッタを閉じ（Ｓ４３）、画像信号を読出し（Ｓ４５）、この画像信号を処理し（Ｓ４７）、この画像信号に基づく画像データの記録を行って（Ｓ４９）、オートモードによる撮影動作を終了する。
【０１０１】
次に、図１１のｂ−３で示したＲＣモードが設定されている場合におけるフラッシュ装置１００とカメラ１の動作について説明する。図１４に示すフローチャートは、ＲＣモードが設定されている場合のフラッシュ装置１００の動作である。モードボタン２５の操作によってＲＣモードが設定されると、このフローが開始する。まず、撮像ユニット１５の撮像素子１０７で撮像し、このときの画像信号を画像処理回路１０８によってライブビュー表示できるように画像処理する（Ｓ６１）。
【０１０２】
画像処理された画像データは、演算制御回路２０２を介して背面表示ＬＣＤ２４に送られライブビュー表示される（Ｓ６３）。このとき撮影者は、背面表示ＬＣＤ２４を観察することにより、フラッシュ装置１００の照射エリアを観察することができる。続いて、電波送受信回路２０１は画像データを電波信号に変換して送信する（Ｓ６５）。このとき、併せて、グループＡ等の各フラッシュ装置に与えられた識別符号や、ＣＨ１等の使用電波チャンネル、露出補正値、各フラッシュ装置の発光モード等の設定データも送信する。カメラ１はこの電波信号を受信すると、後述するように、照射エリアを背面ＬＣＤ６７に動画で表示する。
【０１０３】
次に、スレーブセンサ２３からの出力に基づいて、リモート制御信号を受信したか否かの判定を行う（Ｓ６７）。前述したように、カメラ１から分離されたフラッシュ装置１００Ａ、１００Ｂへのリモート制御信号は、カメラ１の内蔵フラッシュ６４やカメラ１に装着したフラッシュ装置１００等のコマンダーフラッシュの信号発光によって行っている。したがって、このステップＳ６７では、スレーブセンサ２３の出力を検出することにより、カメラ１からリモート制御信号を受信したか否かの判定を行っている。
【０１０４】
ステップＳ６７における判定の結果、リモート制御信号を受信していなかった場合には、ズームボタン２０、モードボタン２５、充電／テストボタン２６、パワーボタン２７、十字ボタン２８等のフラッシュ装置１００の操作ボタンが操作されたか否かの判定を行う（Ｓ６９）。判定の結果、操作されていなかった場合には、ステップＳ６１に戻り、前述動作を行う。一方、判定の結果、操作されていた場合には、操作されたボタン等に対応した動作や設定を行い（Ｓ７１）、ステップＳ６１に戻る。
【０１０５】
ステップＳ６７における判定の結果、リモート制御信号を受信していた場合には、リモート制御信号に応じたモードや設定を受信する（Ｓ７３）。すなわち、カメラ１がリモートのフラッシュ装置１００Ａ、１００Ｂを発光制御する場合には、ＴＴＬオートモードやオートモード等のモードや、モードによって必要なる設定値（例えば、オートモードの場合には、ＩＳＯ感度や絞り値）を、発光に先立って、コマンダーフラッシュ（信号発光）で送信してくるので、ステップＳ７３では、この光信号を受信する。
【０１０６】
続いて、プリ発光トリガ信号の受信を行う（Ｓ７５）。すなわち、カメラ１がリモートのフラッシュ装置１００Ａ、１００Ｂにプリ発光を指令する場合には、そのタイミングでコマンダーフラッシュが信号発光で送信してくるので、ステップＳ７５では、この光信号を受信するのを待つ。
【０１０７】
ステップＳ７５において、プリ発光トリガ信号を受信すると、プリ発光を行う（Ｓ７７）。このプリ発光は、充電・発光回路１０３に対して、所定発光量で発光を指令することにより行う。続いて、発光データ信号の受信を行う（Ｓ７９）。すなわち、カメラ１がリモートのフラッシュ装置１００Ａ、１００Ｂに本発光を指令する前に、本発光を行うに必要な発光データをコマンダーフラッシュが信号発光で送信してくるので、ステップＳ７５では、この光信号を受信する。発光データとしては、例えば、ＴＴＬオートモードの場合には、プリ発光の結果で得た、適正露光となる本発光量等である。
【０１０８】
続いて、本発光トリガ信号の受信を行う（Ｓ８１）。すなわち、カメラ１がリモートのフラッシュ装置１００Ａ、１００Ｂに本発光を指令する場合には、そのタイミングでコマンダーフラッシュが信号発光で送信してくるので、ステップＳ８１では、この光信号を受信するのを待つ。
【０１０９】
ステップＳ８１において、本発光トリガ信号を受信すると、本発光を行う（Ｓ８３）。この本発光は、充電・発光回路１０３に対して、本発光を指令することにより行う。本発光での発光量は、例えば、ＴＴＬオートモードの場合には、ステップＳ７９において受信した発光データに基づき、またオートモードの場合には、プリ発光時の被写体からの反射光に基づく受光量、およびステップＳ７３において予め受信したＩＳＯ感度や絞り値に基づいて演算された発光量である。
【０１１０】
本発光が終わると、ステップＳ６１に戻り、前述のステップを実行する。このＲＣモード設定のフローは、フラッシュ装置１００、１００Ａ、１００ＢのモードとしてＲＣモードが解除されると終わる。
【０１１１】
なお、カメラ１に装着または内蔵されたフラッシュ装置等のコマンダーフラッシュと、カメラ１から分離されたフラッシュ装置１００Ａ、１００Ｂ等のリモートフラッシュとの間は、信号発光による光通信を行っているが、この通信方法は、パルスの発光間隔に対応するコードやデータが取り決めてあり、その間隔時間を判定することによりデータや制御命令の認識を行う。
【０１１２】
次に、図１１のｂ−３で示したＲＣモードが設定されている場合におけるカメラ１の動作について、図１５に示すフローチャートを用いて説明する。メニューモードにおいてＲＣモードが設定されると、このフローが開始する。まず、ライブビュー画像の取得を行う（Ｓ９１）。ライブビュー画像は、撮像回路３１０によって取得した画像を画像処理回路３０８によって処理することのより取得する。
【０１１３】
続いて、フラッシュ装置１００Ａ、１００Ｂから照射エリアの画像データおよび設定データの受信を行う（Ｓ９３）。前述したように、ステップＳ６５（図１４）において、フラッシュ装置１００Ａ、１００Ｂから電波信号で照射エリアの画像データがカメラ１に送信されるので、このステップでは、アンテナ６５で電波信号を受信する。
【０１１４】
続いて、ステップＳ９１で取得したライブビュー画像と、ステップＳ９３において取得した照射エリアの画像および設定値を、図８の画面６７Ａ、６７Ｂに示すように、背面ＬＣＤ６７に表示する（Ｓ９５）。
【０１１５】
続いて、レリーズ操作がなされたか否かの判定を行う（Ｓ９７）。このステップでは、レリーズボタン６１が全押しされたか否かを検出する。判定の結果、レリーズ操作がなかった場合には、操作部材が操作されたか否かの判定を行う（Ｓ９９）。このステップでは、パワーボタン６２、ＤＳＰボタン６８、ＩＮＦＯボタン６９、モードボタン７０、メニューボタン７１等の操作部材の操作状態を検出する。
【０１１６】
ステップＳ９９における判定の結果、操作部材が操作されていなかった場合には、そのままステップＳ９１に戻る。一方、操作部材が操作されていた場合には、その操作部材に対応した動作や設定を行い（Ｓ１０１）、ステップＳ９１に戻る。
【０１１７】
ステップＳ９７における判定の結果、レリーズ操作があった場合には、モード・設定送信を行う（Ｓ１０３）。前述したように、ステップＳ７３（図１４）において、カメラ１がリモートのフラッシュ装置１００Ａ、１００Ｂを発光制御する場合には、ＴＴＬオートモードやオートモード等のモードや、モードによって必要なる設定値（例えば、オートモードの場合には、ＩＳＯ感度や絞り値）を、発光に先立って、コマンダーフラッシュから信号発光で送信を行う。
【０１１８】
続いて、プリ発光トリガ信号の送信を行う（Ｓ１０５）。この送信は、リモートのフラッシュ装置１００Ａ、１００Ｂにプリ発光を行わせる制御信号であり、カメラ1の内蔵フラッシュ６４または装着されたフラッシュ装置１００等のコマンダーフラッシュから信号発光で送信する。
【０１１９】
次に、プリ発光時の被写体からの反射光を測光し、発光量を決定する（Ｓ１０７）。すなわち、ＴＴＬオートモードでは、プリ発光時の被写体からの反射光量をＴＴＬ調光回路３０７によって測光し、この反射光量に基づいて、適正露光を得るためのフラッシュ装置１００の発光量を演算により求める。なお、オートモードにおいては、フラッシュ装置１００Ａ、１００Ｂにおいて測光し、発光量を決定する。
【０１２０】
発光量を決定すると、次に、この決定された発光量の発光データを信号送信する（Ｓ１０９）。前述したように、カメラ１がリモートのフラッシュ装置１００Ａ、１００Ｂに本発光を指令する前に、本発光を行うに必要な発光データをコマンダーフラッシュから信号発光で送信する。
【０１２１】
発光データ信号の送信を行うと、次に、撮影準備動作を行う（Ｓ１１１）。撮影準備動作としては、可動反射ミラーを上昇させ、シャッタの開放動作を開始させる。続いて、本発光トリガ信号の送信を行う（Ｓ１１３）。前述したように、カメラ１がリモートのフラッシュ装置１００Ａ、１００Ｂに本発光を指令する場合には、シャッタが全開となるタイミングで、コマンダーフラッシュから信号発光で送信する。
【０１２２】
本発光トリガ信号を送信し、露光秒時が経過すると、シャッタの閉じ動作を行い、撮影画像の読み出し（Ｓ１１５）、記録媒体３０９に記録を行う（Ｓ１１７）すなわち、撮像回路３１０の撮像素子から静止画像の画像データを読出し、画像処理回路３０８において画像処理を行った後、画像記録媒体３０９に記録を行う。この記録が終わると、ステップＳ９１に戻る。なお、カメラ側のＲＣモード設定のフローは、メニュー画面でＲＣモードの設定を解除すると終了する。
【０１２３】
次に、フラッシュ装置１００、１００Ａ、１００Ｂのオートモードにおける測光について、図１６を用いて説明する。フラッシュ装置１００等は、プリ発光のタイミングで測光を行い、そのときの撮像素子ユニット１５中の撮像素子１０７の出力に基づいて、本発光時の発光量を決定する。フラッシュ装置１００等の発光部ユニット１２は、キセノン管１０１とフレネルレンズ１１ａとの距離を変化させることにより、フラッシュ照射にあたってズーム機能を有している。しかし、撮像素子ユニット１５に像を形成するための撮像レンズ１４は、固定焦点距離であるため、ズーム値に応じて照射エリアの画像データのみを切り出し、抽出するようにしている（トリミング処理）。
【０１２４】
フラッシュ装置１００等の照射エリアの最大照射エリアは、図１６（ａ）に示す撮像ユニット１５の撮像全画角１５ａに相当する。フラッシュ装置１００等の発光部ユニット１２がズーミングを行うと、その焦点距離に応じた照射範囲１５ｂの画像データのみを、例えば、図１６（ｂ）に示すように、切り出す。この画像データは、その照射範囲１５ｂに属する画素（pixel）からの画像信号によって構成される。
【０１２５】
照射範囲１５ｂ内の画像データは、図１６（ｃ）に示すようになる。ここで、横軸は撮像素子の画素（pixel）の出力を、縦軸はその出力を示す画素の数を示す。測光値としては、異常反射物と思われる出力や、反射光が極端に低い部分を除外した所定範囲の出力の加重平均した値とし、この測光値に基づいてオートモードにおける発光量を演算する。
【０１２６】
以上、説明したように、本実施形態においては、フラッシュ装置１００、１００Ａ、１００Ｂに設けた撮像素子１０７を用いて、照射エリアに対応した画像を表示させるようにしている。オフフラッシュ撮影（フラッシュをカメラから離した状態で撮影）でライティングを行う場合に、照射エリアをリアルタイムで確認しながら迅速に行うことができる。
【０１２７】
また、本実施形態においては、照射エリアの表示の際に、撮像素子１０７からの出力をズーミングに応じてトリミング処理を行っている。このため、フラッシュ装置１００等の撮像レンズ１４に光学ズーム機構を搭載する必要がなく、小型安価にすることができる。また、光学ズームを行う必要がないことから、照射エリア外の画像も取得し、表示することが可能である。
【０１２８】
さらに、本実施形態においては、照射エリアの画像取得用の撮像レンズ１４、撮像部ユニット１５を、発光部ユニット１２に一体に設けているので、発光部ユニット１２の照射方向に連動させることができる。また、撮像部ユニット１５等を発光部ユニット１２の下部側に配置しているので、屋外など光源が撮像素子１０７に入り、ゴーストやフレアなどの悪影響を与えるおそれが小さい。
【０１２９】
さらに、本実施形態において、図７（ａ）（ｂ）に示したように照射エリアをデジタルズームで表示する場合には、照射エリアが拡大表示されるので、部分照射の場合など、照射エリアを拡大表示で確認することができ、正確なフラッシュエリアの設定に役立つ。
【０１３０】
さらに、本実施形態において、図７（ｃ）（ｄ）で示したようにフラッシュエリアを枠、マーキング、画像明るさの相違等で表示する場合には、照射エリア外の様子も同時に観察することができ、全体を観察しながら照射エリアを設定することができ、また、テレからワイドにズームさせ照射エリアを広げる場合などの場合に設定が容易となる。
【０１３１】
さらに、本実施形態において、図（ｅ）（ｆ）で示したように上述の２つの照射エリアの表示を組み合わせる場合には、各照射エリアの表示は小さくなるが、上述の２つの特性を同時に生かすことができる。
【０１３２】
さらに、本実施形態においては、フラッシュ装置１００Ａ等とカメラ１とのデータ通信として、カメラ１からフラッシュ装置１００Ａ等への通信は光によって行い、フラッシュ装置１００Ａ等からカメラ１への通信は電波によって行うようにしている。このため、通信方向を切り換える必要がなく制御が容易となる。また、カメラ１からフラッシュ装置１００Ａ等への通信には光を使用しているので、レリーズタイムラグを短縮することができ、カメラ１との発光の同期をとるにあたって即時性に優れている。また、フラッシュ装置１００Ａ等からカメラ１への通信には電波を使用しているので、多くのデータ量を含む画像データ送信に好適である。
【０１３３】
さらに、本実施形態においては、フラッシュ装置１００Ａ等からカメラ１に照射エリアの画像を送信し、この画像を背面表示ＬＣＤ２４に表示している。このため、フラッシュの照射エリアの画像をカメラ１で確認でき、カメラ１の撮影範囲とフラッシュ装置１００Ａ等の照射エリアを同一画面で確認でき、かつカメラ１で確認できるため、わざわざフラッシュ装置１００Ａ等の位置まで行って確認する必要がなく便利である。
【０１３４】
さらに、本実施形態においては、図６に示したように、フラッシュ装置１００Ａ等の照射エリアとカメラ１の撮影範囲が一致する条件を満たしている場合には、自動的に照射エリアの画像をオフするようにしている。このため、フラッシュ装置１００Ａ等が不必要な電力を消耗することがない。一方、照射エリアと撮影範囲が一致しない可能がある場合には、照射エリアを表示させるようにしているので、照射エリアと撮影範囲が不一致であることを知らずに撮影してしまう虞がない。
【０１３５】
さらに、本実施形態においては、フラッシュ装置１００等に設けられた照射エリアの画像取得用の撮像素子１０７は、外光オート撮影用の調光センサを兼ねている。このため、別途、センサを設ける必要がなく、安価・小型にすることができる。撮像素子１０７は、照射エリアの部分を切り出し・抽出して測光することができ、また、その測光範囲内をさらに分割して検出することもでき、フラッシュ単体でもより高度な調光を行うことが可能になる。
【０１３６】
次に、本発明の第２実施形態について、図１７乃至図２５を用いて説明する。本発明の第１実施形態においては、撮像部ユニット１５は発光部ユニット１２と一体に構成され、発光部ユニット１２の向いている方向を撮像部ユニット１５は撮像していた。それに対して第２実施形態においては、撮像部ユニット９５の撮像レンズ９４を魚眼レンズ等の超広角レンズで構成し、発光部ユニット１２の向きに連動していない。この第２実施形態におけるフラッシュ装置１１０は、バウンス撮影にも対応することができる。
【０１３７】
図１７は、本実施形態におけるフラッシュ装置１１０を前方からみた外観斜視図であり、図１８は後方からみた外観斜視図である。第１実施形態に係わるフラッシュ装置１００と同一の部材については、同一の符号を付し、相違点を中心に説明する。
【０１３８】
第１実施形態において、撮像ユニット１５は発光部ユニット１２の下部に一体に設けられていたが、第２実施形態において撮像部ユニット９５は発光部ユニット１２の脇に発光部ユニット１２とは別体に設けられている。この撮像部ユニット９５はアンテナ９９を一体に構成しており、このアンテナ９９は棒状に構成された撮像部ユニット９５の略中央付近に設けられている。
【０１３９】
また、撮像部ユニット９５は上方を向いており、その棒状の先端には超広角の魚眼レンズで構成された撮像レンズ９４が配置されている。発光部ユニット１２は、第１実施形態と同様に軸部３４の回りを回動可能であり、この回動に伴って、撮像部ユニット９５も回動する。しかし、発光部ユニット１２が上下方向に回動する回動軸の軸回りに、回動しても撮像部ユニット９５は回動しない。
【０１４０】
したがって、撮像部ユニット９５の先端に設けられた撮像レンズ９４は、発光部ユニット１２が回動しても、上方を向いたままであり、また超広角の魚眼レンズであることから、周囲３６０度の全視野の撮像を可能としている。なお、発光部ユニット１２の上下方向および水平方向の回動は、後述するように、モータによって電動駆動によって行われる。
【０１４１】
フラッシュ装置１１０の背面から見た図１８に示す外観斜視図では、撮像レンズ９４、撮像部ユニット９５およびアンテナ９９を除けば、第１実施形態のフラッシュ装置１００の背面から見た外観斜視図と同様の構成である。なお、発光部ユニット１２を動かす場合は、フラッシュ装置１１０の背面に設けられている十字ボタン２８を操作する。メニュー画面を開いていたり、設定画面にしていない場合には、十字ボタン２８の内の左右キーで発光部ユニット１２の水平方向の駆動を行わせ、また上下キーで発光部ユニット１２の上下方向の駆動を行なわせる。
【０１４２】
次に、本実施形態に係わるフラッシュ装置１１０の電気系について図１９に示すブロック図を用いて説明する。第１実施形態に係わるフラッシュ装置１００と同一の部材については、同一の符号を付し、相違点を中心に説明する。第１実施形態との大きな相違点は、発光部ユニット１２が電動で上下方向および水平方向に駆動される点である。
【０１４３】
撮像部ユニット９５は、軸部３４に配置されており、この軸部３４にはギア５２２と一体に構成されている。このギア５２２には、フラッシュ制御部本体２１内に設けられたギア５２３が噛合しており、このギア５２３はモータ５２１の駆動軸と一体である。モータ５２１はモータドライバ５２４に接続しており、モータドライバ５２４は演算制御回路２０２に接続され、これによって駆動制御される。なお、モータ５２１はステッピングモータで構成され、リセット位置検出用の接点が設けてあるので、水平方向の回動位置を算出することができる。
【０１４４】
発光部ユニット１２は、撮像部ユニット９５に対して、扇型のギア５１２の回動中心に対して回動可能である。このギア５１２にはギア５１３が噛合しており、このギア５１４はモータ５１１の駆動軸と一体に構成されている。モータ５１１はモータドライバ５１４に接続しており、モータドライバ５１４は演算制御回路２０２に接続され、これによって駆動制御される。なお、モータ５１１はステッピングモータで構成され、リセット位置検出用の接点が設けてあるので、上下方向の回動位置を算出することができる。
【０１４５】
また、本実施形態のフラッシュ装置１１０は、発光部ユニット１２等の状態記憶のために演算制御回路２０２に接続された電気的に書き換え可能な不揮発性のメモリ２０７を備えている。フラッシュ装置１１０のパワーがオフの場合には発光部ユニット１２を収納に適した形状に駆動し、またメモリ２０７にパワーオフ直前のフラッシュ装置１１０の状態を記憶してからオフする。パワーオンのときには、メモリ２０７からパワーオフ直前のフラッシュ装置１１０の状態を読み出し、この状態に復帰するように発光部ユニット１２等の駆動制御を行う。
【０１４６】
撮像部ユニット９５内には、演算制御回路２０２に接続された電波送受信回路２０１が配置されており、この電波送受信回路２０１にはアンテナ９９が接続されている。また撮像部ユニット９５内の棒状部の先端部には、魚眼レンズ等の超広角レンズで構成された撮像レンズ９４が配置され、この撮像レンズ９４の結像面に付近には撮像素子１０７が配置されている。
【０１４７】
次に、撮像ユニット１５において形成される画像について、図２０および図２１を用いて説明する。前述したように本実施形態における撮像レンズ９４は、魚眼レンズ等の超広角レンズであり、この超広角レンズによって形成された画像は、図２０（ａ）に示すように、ほぼ３６０度を見渡せる画像であり、このままでは画像は歪んでいる。
【０１４８】
そこで、発光部ユニット１２の向いている方向を前述のモータ５１１、５２１のリセット位置からの駆動量に基づいて求め、また、フラッシュ装置１１０のズーム状態を用いて、演算制御回路２０２は、発光部ユニット１２による照射範囲５５１を切り出し、図２０（ｂ）に示すように、歪み補正を行った画像を取得する。ここで取得した歪みのない画像は背面表示ＬＣＤ２４に表示する。
【０１４９】
また、本実施形態において、フラッシュ装置１１０を天井バウンスなど用いる場合には、バウンスで照射される範囲を照射エリアとして表示させる。例えば、発光部ユニット１２が、水平基準で上方６０度等の場合には、天井バウンスと推測される。この角度に設定後、バウンス状態でフラッシュ装置１１０は照射し、このときの天井や被写体からの反射光を、撮像素子１０７によって受光する。このときの反射光のうち、図２１（ａ）に示す天井エリア５５２にあり反射光強度の強い高反射領域５５３は、フラッシュ照射の天井からの反射光を示している。また、水平方向の画像領域を示すレベルエリア５５４のうち、フラッシュ照射を受け明るくなった被写体領域５５５は撮影対象の存在する領域である。
【０１５０】
演算制御回路２０２は、撮像素子１０７からの画像データを解析し、レベルエリア５５４の中から被写体領域５５５の画像データを切り出し抽出し、歪み補正を行った画像を取得する。ここで取得した歪みのない画像（図２１（ｂ）参照）は、背面表示ＬＣＤ２４に表示される。
【０１５１】
続いて、本実施形態において、カメラ１と２台のフラッシュ装置１１０Ａ、１１０Ｂを用いて、ワイヤレス撮影を行う場合について、図２２を用いて説明する。本実施形態においては、電波送受信回路２０１は電波により双方向送受信が可能であり、それぞれの設定値の情報や画像データのやり取りを行うことができる。また、即時性を必要とする、レリーズ操作後の発光のための情報などは、カメラ１からフラッシュ装置１１０Ａ、１１０Ｂに第１実施形態と同様に光通信によって行う。
【０１５２】
また、フラッシュ装置１１０Ａ、１１０Ｂは、第１実施形態と同様に、電波信号によって照射エリアの画像を送信可能であり、カメラ１は受信した照射エリアの画像を背面ＬＣＤ６７の画面６７Ｃに表示することができる。また、前述したように、フラッシュ装置１１０Ａ、１１０Ｂの発光部ユニット１２はモータ５１１、５２１によって電動駆動可能であるので、カメラ１から電波信号によってこれらの発光部ユニット１２の角度を変更可能である。
【０１５３】
また、キセノン管１０１とフレネルレンズ１１ａとの間隔は、モータ１０４によって駆動可能であることから、フラッシュ装置１１０Ａ、１１０Ｂのズーミングを行うことも可能である。このように、発光部ユニット１２の角度やズーム値などをカメラ１からリモート制御で変化させることが可能であり、カメラ１側から直接手の届かないワイヤレスフラッシュの照射エリアを照射範囲の画像を見ながら制御可能となっている。
【０１５４】
また、第１実施形態と同様に、電力を節約するために、演算制御回路２０２は、カメラ１の操作部材が操作されている場合は、フラッシュ装置１１０Ａ、１１０Ｂの撮像ユニット１５は動作させるが、背面表示ＬＣＤ２４の表示はオフさせ、照射エリアの画像はカメラ１側で観察可能としている。
【０１５５】
カメラ１の背面ＬＣＤ６７には、図２２の画面６７Ｃに示すように、カメラ本体で得られる撮影範囲を示すライブビュー画像、それぞれのフラッシュ装置１１０Ａ、１１０Ｂの照射エリアを示す画像が表示される。また、同時に、各装置の制御値の設定値が表示され、これらの設定を変更可能である。
【０１５６】
例えば、画面６７Ｃにおいて、カメラ１の背面に設けられている十字ボタン７２の中央に設けられたＯＫボタンを押すと、設定のボタンの１つがライトアップされ、十字ボタン７２で変更したい項目を選択してＯＫボタンを押すと、押すたびに設定値が変化する。また、十字ボタン７２中の矢印ボタンはフラッシュ装置１１０Ａ、１１０Ｂの電動駆動ボタンであり、選択してＯＫを押すたびに、発光部ユニット１２の角度を変更する。また、画面６７Ｃ中のＺＵＰはズームアップで照射角を狭め、ＺＤＮはズームダウンで照射角を広げる。
【０１５７】
次に、フラッシュ装置１１０Ａまたは１１０Ｂにおいて、フラッシュ操作を行った場合について、図２３を用いて説明する。被写体に向かって右側に配置されたフラッシュ装置１１０Ｂを操作すると、撮影者がフラッシュ装置１１０Ｂの近くに行ったと認識して、フラッシュ装置１１０Ｂの演算制御回路２０２は背面表示ＬＣＤ２４の表示をオンさせる。このとき、カメラ１の背面ＬＣＤ６７と、フラッシュ装置１１０Ａの背面表示ＬＣＤ２４の表示はオフとなる。
【０１５８】
このときのフラッシュ装置１１０Ｂの背面表示ＬＣＤ２４の画面２４Ｃを、図２３に示す。画面２４Ｃの右下には、フラッシュの照射エリアを示す照射エリア表示２４Ｃａがなされる。画面２４Ｃに左上には、カメラ１のライブビュー表示２４Ｃｂがなされ、その下にはカメラ１の基本設定値表示２４Ｃｃがなされる。さらにその下にはグループＡに設定されているフラッシュ（ここではフラッシュ装置１１０Ａ）の照射エリア表示２４Ｃｃがなされ、ここにはカメラ１を経由してフラッシュ装置１１０Ｂの照射エリアがリアルタイムで送信され、表示される。
【０１５９】
さらにその下は、グループＣに設定されたフラッシュ装置の表示領域２４Ｃｄであるが、この例ではフラッシュ装置そのものが動作していないために表示されていない。画面２４Ｃの右上は、フラッシュ装置１１０Ｂがテスト発光した場合の発光状態を表示するためのテスト発光表示２４Ｃｅである。
【０１６０】
このような構成であるので、フラッシュ装置１１０Ａまたは１１０Ｂの充電／テストボタン２６を押すと、まず電波信号によりテスト発光要求がカメラ１に伝達される。次に、テスト発光要求を受けて、カメラ１がワイヤレスフラッシュ撮影を実行し、このときカメラ１内の撮像回路３１０によって取得した画像データをフラッシュ装置１１０Ａまたは１１０Ｂに電波信号により送信する。この画像データを受信したフラッシュ装置１１０Ａまたは１１０Ｂは、背面表示ＬＣＤ２４の画面２４Ｃｅにテスト発光時の画像を表示する。
【０１６１】
このテスト発光機能によれば、フラッシュ装置１１０Ａ、１１０Ｂの位置にて照射エリアの条件を変更しながら、テスト発光時にカメラ１で取得した画像を確認することができ、フラッシュ装置１１０Ａ、１１０Ｂの位置や発光部ユニット１２の角度やズーム値を調整し、最適のライティングに設定することが容易にできる。
【０１６２】
次に、本実施形態に係わるフラッシュ装置１１０がカメラ１と有線接続していない状態において、フラッシュ装置１１０のパワーオフ時における動作について、図２４を用いて説明する。
【０１６３】
まず、フラッシュ装置１１０のパワーボタン２７を押してパワーオン状態からパワーオフ状態にすると、フラッシュ装置１１０の発光部ユニット１２等（ヘッド）を上下方向および水平方向を含む設定値や、フラッシュ装置１１０のズーム値や、モード設定や、その他の設定をメモリ２０７に記憶する（Ｓ２０１）。続いて、発光部ユニット１２（ヘッド）等をモータ５１１、５２１により駆動し、水平方向の角度は正面、上下方向の角度は上方９０度にセットする（Ｓ２０３）。そして、フラッシュ装置１１０の回路電源をオフにし（Ｓ２０５）、フラッシュ装置のパワーオフ操作を終了する。
【０１６４】
次に、フラッシュ装置１１０をパワーオフ状態からパワーオン状態にすると、まず、メモリ２０７からステップＳ２０１において記憶した各種の設定値等の情報を読み出す（Ｓ２１１）。続いて、この読み出された情報を用いて、直前の発光部ユニット１２等（ヘッド）の方向や、ズーム値や、モード設定等を前回パワーオフした直前の状態となるように、モータ１０５、５１１、５２１等の駆動制御を行い（Ｓ２１３）、フラッシュ装置のパワーオン操作を終了する。
【０１６５】
続いて、パワーをオンとし、必要な全回路に通電し、表示もオンとする（Ｓ２１５）。なお、不図示のカスタム設定によって、発光部ユニット１２の上述の動作を禁止し、パワーのオンオフによっては作動しないようにしても勿論構わない。
【０１６６】
次に、フラッシュ装置１１０とカメラ１を接続した状態で、パワーオフした場合について、カメラ１側の動作について、図２５を用いて説明する。フラッシュ装置１１０とカメラ１が共にパワーオン状態の際に、カメラのパワーボタン６２を操作してパワーオフとすると、カメラ１のメモリにフラッシュ装置１１０Ａ、１１０Ｂの発光部ユニット１２（ヘッド）の方向を含む設定値を記憶する（Ｓ２２１）。
【０１６７】
続いて、フラッシュ装置１１０に対してパワーオフ状態への移行を指示する（Ｓ２２３）。フラッシュ装置１１０は、この指示を受けてパワーオフ状態となる。フラッシュ装置１１０に対してパワーオフを指示すると、次に、カメラ１はパワーオフ状態となり（Ｓ２２５）、カメラパワーオフ操作を終了する。なお、フラッシュ装置１１０はカメラ１に装着されたままであり、パワーオフ時に発光部ユニット１２等をリセット位置に駆動すると、再度、パワーをオンした場合に、撮影可能になるまでにタイムラグが生ずることから、発光部ユニット１２等をリセット位置に駆動することはしない。
【０１６８】
次に、フラッシュ装置１１０とカメラ１を有線接続した状態で両装置が共にパワーオフ状態から、カメラ１のパワーボタン６２を操作してパワーオンとする場合について説明する。まず、カメラ１のメモリに記憶されている前回のフラッシュ装置の発光部ユニット１２のヘッド方向を含む設定情報をメモリから読み出す（Ｓ２３１）。
【０１６９】
続いて、フラッシュ装置１１０を起動し、その設定状態が前回と同じであるかを検出し、検出された結果が異なっていた場合には、前の状態になるように復帰させる（Ｓ２３３）。例えば、パワーオフの後に、発光部ユニット１２が手動で動かされていたり、また別のフラッシュ装置に交換されていた場合には、前の状態となるように、発光部ユニット１２の方向を再設定する。前回の状態に戻ると、撮影待機状態となる（Ｓ２３５）。
【０１７０】
なお、不図示のカメラ１のカスタム設定によって、フラッシュ装置１１０の状態を復帰させる動作を禁止するように設定する機能を設けても良い。また、良く使用するフラッシュ装置の発光部ユニットを含む設定をカメラ１内に記憶しておき、必要に応じて呼び出して、フラッシュ装置にその設定を指示するようにしても良い。さらに、フラッシュ設定のカメラ１での記憶、読み出し、フラッシュ装置への指示は、有線接続されている場合のほか、ワイヤレスで無線通信している場合にも同様に使用できるようにしてもよい。
【０１７１】
以上、説明したように本実施形態によれば、撮像部ユニット１５が超広角で３６０度全周をモニタしているので、フラッシュ装置１１０によってバウンス光が照射される場合など、発光部ユニット１２の向きと異なる部分が照射される場合であっても、照射エリアを表示することが可能である。
【０１７２】
また、本実施形態によれば、発光部ユニット１２等のヘッドの駆動が電動であり、パワーオフした際に収納に適した形態、例えば、上方９０度バウンス位置、水平方向は制御部本体２１の前面と同じ方向に駆動され、ケースに収納する場合には便利である。また、パワーオフにしても、オフ直前の設定が記憶されているので、パワーオン時には発光部ユニット１２等のヘッドのセッティングが前回の設定になり、セッティングをすばやく行うことができる。
【０１７３】
さらに、本実施形態によれば、フラッシュ装置１１０がカメラ１に装着されている際には、パワーオフしても取り付けられていない場合とは異なり、発光部ユニット１２等のヘッドの向きをそのままで停止するので、再度撮影を行う場合にはすばやく開始することができる。
【０１７４】
さらに、本実施形態によれば、発光部ユニット１２等のヘッドの方向を含むフラッシュの設定をカメラ１内のメモリに記憶し、再起動の際に、同じ状態に復帰させるようにしている。このため、電池消耗や発熱によりフラッシュ装置１１０を交換し、撮影を行う場合でも、一度カメラ１のパワーをオフとし、フラッシュ装置１１０を交換してからパワーを再投入することにより、引き続き同じ設定で撮影を続行することができる。
【０１７５】
さらに、本実施形態によれば、カメラ１内によく使用するフラッシュの設定値を記憶しておき、所定の操作によって設定値を呼び出し、フラッシュ装置側に通信伝達することにより、良く使用するフラッシュの設定を簡単に迅速に設定することも可能である。
【０１７６】
さらに、本実施形態によれば、カメラ１側に各フラッシュ装置１１０Ａ、１１０Ｂの照射エリアや設定値が表示されるだけではなく、カメラ１の位置から発光部ユニット１２等のヘッドの上下・左右方向の駆動や、フラッシュ装置１１０Ａ、１１０Ｂのズームの設定の変更を含む各種設定が可能となっている。このため、フラッシュ装置１１０Ａ、１１０Ｂの位置まで行かなくてもワイヤレスフラッシュのセッティングをすばやく行うことができる。
【０１７７】
さらに、本実施形態によれば、フラッシュ装置１１０Ａ、１１０Ｂの位置に行っても、充電・テストボタン２６によって、現在のセッティングにおけるテスト発光した際の撮影画像を表示させることができる。このため、フラッシュ装置１１０Ａ、１１０Ｂの設置位置の変更など、カメラ１の位置から遠隔操作だけではできない設定の変更も、カメラ１の位置へ移動することなくフラッシュ装置１１０Ａ、１１０Ｂの位置で確認することができる。
【０１７８】
さらに、本実施形態によれば、フラッシュ装置１１０Ａ、１１０Ｂの位置からのテスト撮影は、フラッシュ装置１１０Ａ、１１０Ｂからカメラ１に対して要求信号を送信し、後はカメラ１側より通常の撮影時と同様の制御である。このため、フラッシュ装置にコマンダー機能を設ける必要がなく、フラッシュ装置１１０Ａ、１１０Ｂの回路やソフトウエアを簡単化し、小型化、コストダウンを図ることができる。
【０１７９】
さらに、本実施形態によれば、フラッシュ装置１１０Ａ、１１０Ｂの背面表示ＬＣＤ２４に、カメラ１のライブビュー表示、他のフラッシュ装置の照射エリアの画像、テスト撮影画像などを表示する際に、カメラ１経由でカメラ１からまとめて必要な情報や画像が送信されている。このため、フラッシュ装置１１０Ａ、１１０Ｂでの処理が簡単になり、フラッシュ装置の回路やソフトウエアを簡単化し、小型化・コストダウンができる。
【０１８０】
さらに、本実施形態によれば、フラッシュ装置１１０Ａ、１１０Ｂ、およびカメラ１で操作がなされていない場合には、背面表示ＬＣＤ２４または背面ＬＣＤ６７の表示をオフするようにしている。このため、不必要に表示を行い、電源が消耗してしまうことを防止できる。
【０１８１】
なお、本発明の実施形態においては、デジタルカメラとして一眼レフタイプに適用した例を説明したが、カメラとしては所謂コンパクトカメラでもよく、また、携帯電話やＰＤＡ（携帯情報端末：Personal Digital Assistant）等の内蔵タイプのカメラでもよい。いずれにしても、本発明におけるカメラとフラッシュ装置と一緒に使用するものであれば、適用することができる。
【０１８２】
以上、本発明の第１および第２実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１８３】
【図１】本発明の第１実施形態におけるフラッシュ装置を正面から見た外観斜視図である。
【図２】本発明の第１実施形態におけるフラッシュ装置を背面から見た外観斜視図である。
【図３】本発明の第１実施形態におけるフラッシュ装置の電気系を示す図であり、（Ａ）はフラッシュ装置の電気系を示すブロック図であり、（Ｂ）はカメラのホットシューを示す断面図であり、（Ｃ）はフラッシュ装置１００とカメラ１をオフフラッシュケーブル８０で接続した場合を示す図である。
【図４】本発明の第１実施形態におけるカメラを示す図であり、（Ａ）はカメラを正面から見た外観斜視図であり、（Ｂ）は内蔵フラッシュ６４をポップアップした状態を示す要部斜視図である。
【図５】本発明の第１実施形態におけるカメラを背面から見た外観斜視図である。
【図６】本発明の第１実施形態におけるカメラの電気系を示すブロック図である。
【図７】本発明の第１実施形態におけるフラッシュ装置の照射範囲の表示方法を示す図であり、（ａ）（ｂ）はスタイル１の表示方法であり、（ｃ）（ｄ）はスタイル２の表示方法であり、（ｅ）（ｆ）はスタイル３の表示方法である。
【図８】本発明の第１実施形態におけるカメラとフラッシュの配置と背面表示ＬＣＤ２４と背面ＬＣＤ６７における表示を示す図である。
【図９】本発明の第１実施形態におけるカメラフラッシュシステムにおいて、フラッシュ装置に照射エリアの画像表示を背面ＬＣＤ６７に行うか否かの関係を示す図である。
【図１０】本発明の第１実施形態におけるカメラフラッシュシステムにおいて、フラッシュ装置をカメラにクリップオンで装着した場合のフラッシュ装置の発光モードを示す図である。
【図１１】本発明の第１実施形態におけるカメラフラッシュシステムにおいて、フラッシュ装置をカメラから分離した場合のフラッシュ装置の発光モードを示す図である。
【図１２】本発明の第１実施形態におけるＴＴＬオートモードに設定されたカメラの動作を示すフローチャートである。
【図１３】本発明の第１実施形態におけるオートモードに設定されたカメラの動作を示すフローチャートである。
【図１４】本発明の第１実施形態におけるＲＣモードに設定されたフラッシュ装置の動作を示すフローチャートである。
【図１５】本発明の第１実施形態におけるＲＣモードに設定されたカメラの動作を示すフローチャートである。
【図１６】本発明の第１実施形態におけるオートモードに設定されたフラッシュ装置において測光の仕方について説明する図であり、（ａ）は撮像ユニットにおいて取得した画像であり、（ｂ）はフラッシュ装置の焦点距離に応じて生成された画像であり、（ｃ）は撮像素子の出力分布を示す図である。
【図１７】本発明の第２実施形態におけるフラッシュ装置を正面から見た外観斜視図である。
【図１８】本発明の第２実施形態におけるフラッシュ装置を背面から見た外観斜視図である。
【図１９】本発明の第２実施形態におけるフラッシュ装置の電気系を示すブロック図である。
【図２０】本発明の第２実施形態におけるフラッシュ装置の撮像ユニットにおいて形成される画像を示す図であり、（ａ）は魚眼レンズ等の超広角レンズを通して得た撮像画像を示し、（ｂ）は（ａ）の撮像に対して歪み補正を行った画像を示す。
【図２１】本発明の第２実施形態におけるフラッシュ装置において、バウンス撮影を行った場合において、撮像ユニットにおいて取得される画像を示す図であり、（ａ）は魚眼レンズ等の超広角レンズを通して得た撮像画像を示し、（ｂ）は（ａ）の撮像に対して歪み補正を行った画像を示す。
【図２２】本発明の第２実施形態におけるカメラとフラッシュの配置と背面表示ＬＣＤ２４と背面ＬＣＤ６７における表示を示し、カメラにおいて操作を行った場合の図である。
【図２３】本発明の第２実施形態におけるカメラとフラッシュの配置と背面表示ＬＣＤ２４と背面ＬＣＤ６７における表示を示し、フラッシュ装置において操作を行った場合の図である。
【図２４】本発明の第２実施形態におけるフラッシュ装置のパワーオンオフ時における動作を示すフローチャートであり、（ａ）はパワーオフ時、（ｂ）はパワーオン時の動作を示す。
【図２５】本発明の第２実施形態におけるカメラのパワーオンオフ時における動作を示すフローチャートであり、（ａ）はパワーオフ時、（ｂ）はパワーオン時の動作を示す。
【符号の説明】
【０１８４】
１・・・カメラ、１１・・・フラッシュ発光部、１１ａ・・・フレネルレンズ、１２・・・発光部ユニット、１３・・・バウンス解除ボタン、１４・・・撮像レンズ、１５・・・撮像部ユニット、１５ａ・・・撮像全画角、１５ｂ・・・照射範囲、２０・・・ズームボタン、２１・・・フラッシュ制御部本体、２２・・・ＡＦ補助後部、２２Ａ・・・ＡＦ補助光窓、２３・・・スレーブセンサ、２３Ａ・・・スレーブセンサ窓、２４・・・背面表示ＬＣＤ、２４Ａ・・・画面、２４Ｂ・・・画面、２４Ｃ・・・画面、２４Ｃａ・・・照射エリア表示、２４Ｃｂ・・・ライブビュー表示、２４Ｃｃ・・・基本設定値表示、２４Ｃｄ・・・表示領域、２４Ｃｅ・・・テスト発光表示、２５・・・モードボタン、２６・・・充電／テストボタン、２７・・・電源ボタン、２８・・・十字ボタン、２９・・・アンテナ、３０・・・メニューボタン、３１・・・ホットシュー、３１ａ・・・通信端子、３２・・・シューロックナット、３３・・・脚、３４・・・軸部、５０・・・撮影レンズユニット、５１・・・撮影レンズ、５２・・・ズームリング、６０・・・カメラ本体、６１・・・レリーズボタン、６２・・・パワーボタン、６３・・・ホットシュー、６４・・・内蔵フラッシュ、６４ａ・・・発光部、６５・・・アンテナ、６６・・・ファインダ窓、６７・・・背面ＬＣＤ、６７Ａ・・・画面、６７Ｂ・・・画面、６７ａ・・・ライブビュー表示、６７ｂ・・・カメラ撮影情報、６７ｃ・・・フラッシュ情報、６８・・・ＤＳＰボタン、６９・・・ＩＮＦＯボタン、７０・・・モードボタン、７１・・・メニューボタン、７２・・・十字ボタン、８０・・・フラッシュケーブル、８１・・・ケーブル端子、８２・・・ケーブル端子、９４・・・撮像レンズ、９５・・・撮像部ユニット、９９・・・アンテナ、１００・・・フラッシュ装置、１００Ａ・・・フラッシュ装置、１００Ｂ・・・フラッシュ装置、１０１・・・キセノン管、１０２・・・リフレクタユニット、１０３・・・充電・発光回路、１０４・・・モータ、１０５・・・モータドライバ、１０７・・・撮像素子、１０８・・・画像処理回路、１１０・・・フラッシュ装置、２０１・・・電波送受信回路、２０２・・・演算制御回路、２０３・・・ＬＤＣドライバ、２０４・・・ＡＦ補助光駆動制御回路、２０５・・・スレーブ信号処理回路、２０６・・・バッテリ、２０７・・・メモリ、３０１・・・レンズ駆動制御回路、３０２・・・ボディ駆動制御回路、３０４・・・通信回路、３０５・・・フラッシュ制御回路、３０６・・・操作部材、３０７・・・ＴＴＬ調光回路、３０８・・・画像処理回路、３０９・・・画像記録媒体、３１０・・・撮像回路、３２０・・・被写体、５１１・・・モータ、５１２・・・ギア、５１３・・・ギア、５１４・・・モータドライバ、５２１・・・ギア、５２２・・・ギア、５２３・・・ギア、５２４・・・モータドライバ、５５１・・・照射範囲、５５２・・・天井エリア、５５３・・・高反射領域、５５４・・・レベルエリア、５５５・・・被写体領域
【図１】
0005189377.tif 000002
【図２】
0005189377.tif 000003
【図３】
0005189377.tif 000004
【図４】
0005189377.tif 000005
【図５】
0005189377.tif 000006
【図６】
0005189377.tif 000007
【図７】
0005189377.tif 000008
【図８】
0005189377.tif 000009
【図１０】
0005189377.tif 000010
【図１１】
0005189377.tif 000011
【図１６】
0005189377.tif 000012
【図１７】
0005189377.tif 000013
【図１８】
0005189377.tif 000014
【図１９】
0005189377.tif 000015
【図２０】
0005189377.tif 000016
【図２１】
0005189377.tif 000017
【図２２】
0005189377.tif 000018
【図２３】
0005189377.tif 000019
【図２４】
0005189377.tif 000020
【図９】
0005189377.tif 000021
【図１２】
0005189377.tif 000022
【図１３】
0005189377.tif 000023
【図１４】
0005189377.tif 000024
【図１５】
0005189377.tif 000025
【図２５】
0005189377.tif 000026